(57)【要約】【課題】予定外のコンテンツを再生した場合でも、支障なくその再生履歴を記録可能な再生装置等を提供する。【解決手段】コンテンツを再生する再生手段１２０と、再生手段１２０による再生信号の出力レベルを調整する出力レベル調整手段２５０と、出力レベル調整手段２５０の調整結果に応じて、再生信号を出力装置３０に出力するミキサー装置側再生信号出力手段２３０と、再生手段１２０により再生されたコンテンツの再生履歴を示す再生履歴情報を記録する再生履歴情報記録手段１５０と、を備え、再生履歴情報記録手段１５０は、ミキサー装置側再生信号出力手段２３０により再生信号が出力装置３０に出力されたか否かに応じて、各コンテンツの再生履歴情報を記録する。【選択図】図４
2010262723.tif 000002
【特許請求の範囲】
【請求項１】
コンテンツを再生する再生手段と、
前記再生手段による再生信号の出力レベルを調整する出力レベル調整手段と、
前記出力レベル調整手段の調整結果に応じて、前記再生信号を外部に出力する外部出力手段と、
前記再生手段により再生されたコンテンツの再生履歴を示す再生履歴情報を記録する再生履歴情報記録手段と、を備え、
前記再生履歴情報記録手段は、前記出力レベル調整手段による前記出力レベルの調整結果に応じて、各コンテンツの前記再生履歴情報を記録することを特徴とする再生装置。
【請求項２】
前記再生履歴情報記録手段は、前記外部出力手段により前記再生信号が外部に出力されたか否かに応じて、各コンテンツの前記再生履歴情報を記録することを特徴とする請求項１に記載の再生装置。
【請求項３】
前記再生手段は、第１の記憶媒体から読み出したコンテンツを再生し、
前記再生履歴情報記録手段は、前記再生履歴情報を、前記第１の記憶媒体に記録することを特徴とする請求項１に記載の再生装置。
【請求項４】
前記再生手段は、複数の記憶媒体から前記コンテンツを読み出して再生することが可能であり、
前記再生履歴情報記録手段は、どの記憶媒体から読み出されたコンテンツであるかに拘わらず、前記再生手段により再生されたコンテンツの前記再生履歴情報を、前記複数の記憶媒体のうち所定の記憶媒体に記録することを特徴とする請求項１に記載の再生装置。
【請求項５】
前記再生履歴情報の記録対象となる前記所定の記憶媒体を指定するユーザー設定手段をさらに備えたことを特徴とする請求項４に記載の再生装置。
【請求項６】
前記再生履歴情報記録手段は、前記再生履歴情報の一部として、各コンテンツの前記再生信号が、前記外部出力手段により外部に出力されたか否かに関する情報を記録することを特徴とする請求項１に記載の再生装置。
【請求項７】
前記再生履歴情報記録手段は、前記外部出力手段により前記再生信号が外部に出力されたコンテンツのみを対象として、前記再生履歴情報を記録することを特徴とする請求項１に記載の再生装置。
【請求項８】
前記再生履歴情報記録手段は、前記外部出力手段により前記再生信号が外部に出力されたコンテンツのみを対象として、前記再生履歴情報を記録する外部出力専用記録手段と、前記外部出力手段により前記再生信号が外部に出力されたか否かに拘わらず、各コンテンツの前記再生履歴情報を記録する通常記録手段と、を有することを特徴とする請求項７に記載の再生装置。
【請求項９】
前記外部出力専用記録手段および前記通常記録手段のうち、いずれを機能させるか、若しくは両方を機能させるか否か、について設定するユーザー設定手段をさらに備えたことを特徴とする請求項８に記載の再生装置。
【請求項１０】
前記再生履歴情報記録手段は、同一コンテンツの再生中に、前記外部出力手段による前記再生信号の出力／非出力が繰り返された場合、当該コンテンツの出力回数を１回または繰り返し数に相当する回数として、前記再生履歴情報を記録することを特徴とする請求項１に記載の再生装置。
【請求項１１】
前記記憶媒体は、再生装置に着脱可能な外部記憶媒体であることを特徴とする請求項３または４に記載の再生装置。
【請求項１２】
前記再生履歴情報記録手段により記録された各コンテンツの前記再生履歴情報を表示する情報表示手段をさらに備えたことを特徴とする請求項１に記載の再生装置。
【請求項１３】
前記再生手段は、複数の記憶媒体から前記コンテンツを読み出して再生することが可能であり、
前記再生履歴情報表示手段は、表示対象の前記再生履歴情報が記録されている記憶媒体から読み出したコンテンツと、表示対象の前記再生履歴情報が記録されている記憶媒体以外の記憶媒体から読み出したコンテンツと、を区別して、各コンテンツの前記再生履歴情報を表示することを特徴とする請求項１２に記載の再生装置。
【請求項１４】
前記再生手段および前記再生履歴情報記録手段を有するプレーヤーと、
前記プレーヤーと接続され、前記出力レベル調整手段および前記外部出力手段を有するミキサー装置と、から成ることを特徴とする請求項１に記載の再生装置。
【請求項１５】
ミキサー装置に対し、再生信号を出力するプレーヤーであって、
コンテンツを再生する再生手段と、
前記再生手段による再生信号を、前記ミキサー装置に対して出力する再生信号出力手段と、
前記再生信号出力手段により出力した再生信号が前記ミキサー装置により外部出力されていることを示すＯｎＡｉｒ情報を、前記ミキサー装置から入力するＯｎＡｉｒ情報入力手段と、
前記ＯｎＡｉｒ情報入力手段により入力された前記ＯｎＡｉｒ情報に基づいて、前記再生手段により再生されたコンテンツの再生履歴を示す再生履歴情報を記録する再生履歴情報記録手段と、を備えたことを特徴とするプレーヤー。
【請求項１６】
再生したコンテンツの再生履歴を示す再生履歴情報を記録する再生装置の再生履歴情報記録方法であって、
前記再生装置が、
前記コンテンツを再生するステップと、
前記コンテンツを再生した再生信号の出力レベルを調整するステップと、
前記出力レベルの調整結果に応じて、各コンテンツの前記再生履歴情報を記録するステップと、を実行することを特徴とする再生装置の再生履歴情報記録方法。
【請求項１７】
ミキサー装置に対し、再生信号を出力するプレーヤーの再生履歴情報記録方法であって、
前記プレーヤーが、
コンテンツを再生するステップと、
前記コンテンツを再生した再生信号を、前記ミキサー装置に対して出力するステップと、
出力した前記再生信号が前記ミキサー装置により外部出力されていることを示すＯｎＡｉｒ情報を、前記ミキサー装置から入力するステップと、
入力された前記ＯｎＡｉｒ情報に基づいて、再生したコンテンツの再生履歴を示す再生履歴情報を記録するステップと、を実行することを特徴とするプレーヤーの再生履歴情報記録方法。
【請求項１８】
コンピューターに、請求項１６に記載の再生装置の再生履歴情報記録方法における各ステップ、または請求項１７に記載のプレーヤーの再生履歴情報記録方法を実行させるためのプログラム。
【発明の詳細な説明】
【技術分野】
【０００１】
音声や映像など各種コンテンツの再生履歴を記録する再生装置、プレーヤー、再生装置の再生履歴情報記録方法、プレーヤーの再生履歴情報記録方法およびプログラムに関するものである。
【背景技術】
【０００２】
従来、音声や映像など各種コンテンツの再生履歴を記録する技術として、特許文献１が知られている。当該特許文献１には、音楽番組の放送に使用した楽曲や効果音などの放送履歴を作成する方法が記載されている。具体的には、予め作成しておいたキューシートの情報に、実際に放送した楽曲や効果音に関する放送属性情報を反映させて、放送履歴表を作成する。
【先行技術文献】
【特許文献】
【０００３】
【特許文献１】特許第３３３８４３７号公報
【発明の概要】
【発明が解決しようとする課題】
【０００４】
ところが、上記の特許文献１に記載の放送履歴作成方法では、予めキューシートを作成しておく必要がある。このため、予定していた楽曲以外の楽曲を放送した場合、適切に放送履歴を作成できないといった問題があった。特に、リクエスト番組など、番組の流れによって放送する楽曲を決定するような場合には、利用不可能である。
【０００５】
一方、このような再生履歴を記録する技術は、クラブ等でＤＪ（ディスクジョッキー）が演奏した楽曲を記録する場合にも適用可能である。しかしながら、クラブ等における演奏は、予定していた楽曲を場の雰囲気に応じて変更することが多いため、上記の特許文献１に記載の放送履歴作成方法の適用は、非常に困難である。
【０００６】
本発明は、上記の問題点に鑑み、予定外のコンテンツを再生した場合でも、支障なくその再生履歴を記録可能な再生装置、プレーヤー、再生装置の再生履歴情報記録方法、プレーヤーの再生履歴情報記録方法およびプログラムを提供することを目的とする。
【課題を解決するための手段】
【０００７】
本発明の再生装置は、コンテンツを再生する再生手段と、再生手段による再生信号の出力レベルを調整する出力レベル調整手段と、出力レベル調整手段の調整結果に応じて、再生信号を外部に出力する外部出力手段と、再生手段により再生されたコンテンツの再生履歴を示す再生履歴情報を記録する再生履歴情報記録手段と、を備え、再生履歴情報記録手段は、出力レベル調整手段による出力レベルの調整結果に応じて、各コンテンツの再生履歴情報を記録することを特徴とする。
【０００８】
上記に記載の再生装置において、再生履歴情報記録手段は、外部出力手段により再生信号が外部に出力されたか否かに応じて、各コンテンツの再生履歴情報を記録することを特徴とする。
【０００９】
本発明の再生装置は、出力レベル調整手段による出力レベルの調整結果に応じて再生履歴情報を記録する。つまり、所定のしきい値を超えた場合に再生信号を外部出力するようにすれば、再生信号が外部に出力されたか否かに応じて、再生履歴情報を記録することができる。つまり、再生したか否かではなく、実際に出力されたか否か（放送またはクラブ等において、ＯｎＡｉｒされたか否か）を記録することができるため、当該再生履歴情報を、次回の選曲の検討やリコメンド機能に有効に利用することができる。また、予めキューシートを作成しておく必要がないため、予定外のコンテンツを再生した場合でも、支障なくその再生履歴を記録することができる。
なお、「コンテンツ」は、音声および映像のいずれであっても良い。つまり、「再生信号」は、音声信号および映像信号のいずれであっても良い。
また、「再生装置」は、１の装置で構成されても良いし、複数の装置で構成されても良い。つまり、上記の各手段を、１の筐体内に全て備えた構成としても良いし、複数の筐体に分割配置した構成としても良い。
【００１０】
上記に記載の再生装置において、再生手段は、第１の記憶媒体から読み出したコンテンツを再生し、再生履歴情報記録手段は、再生履歴情報を、第１の記憶媒体に記録することを特徴とする。
【００１１】
この構成によれば、コンテンツを読み出した記憶媒体に、そのコンテンツの再生履歴情報を記録することができる。これにより、後に再生履歴情報に基づく再生を行う場合、コンテンツの検索および再生が容易となる。
【００１２】
上記に記載の再生装置において、再生手段は、複数の記憶媒体からコンテンツを読み出して再生することが可能であり、再生履歴情報記録手段は、どの記憶媒体から読み出されたコンテンツであるかに拘わらず、再生手段により再生されたコンテンツの再生履歴情報を、複数の記憶媒体のうち所定の記憶媒体に記録することを特徴とする。
【００１３】
この構成によれば、どの記憶媒体から読み出されたコンテンツであるかに拘わらず、所定の記憶媒体に再生履歴情報を記録することができるため、クラブ等におけるＤＪの演奏履歴や放送履歴を記録する場合に、便利である。
なお、「所定の記憶媒体」は、ユーザーによって指定されたものであっても良いし、予め定められたものであっても良いし、記録可能な全ての記憶媒体であっても良い。
【００１４】
上記に記載の再生装置において、再生履歴情報の記録対象となる所定の記憶媒体を指定するユーザー設定手段をさらに備えたことを特徴とする。
【００１５】
この構成によれば、ユ−ザーのニーズに応じて、記録対象となる記憶媒体を指定することができる。
【００１６】
上記に記載の再生装置において、再生履歴情報記録手段は、再生履歴情報の一部として、各コンテンツの再生信号が、外部出力手段により外部に出力されたか否かに関する情報を記録することを特徴とする。
【００１７】
この構成によれば、再生履歴情報から、記録されたコンテンツが、実際にＯｎＡｉｒされたか否かを確認することができる。
【００１８】
上記に記載の再生装置において、再生履歴情報記録手段は、外部出力手段により再生信号が外部に出力されたコンテンツのみを対象として、再生履歴情報を記録することを特徴とする。
【００１９】
この構成によれば、ＯｎＡｉｒの対象となっていないコンテンツの記録を省略できるため、実際にＯｎＡｉｒされたコンテンツの再生履歴情報のみを記録したい場合に、便利である。
【００２０】
上記に記載の再生装置において、再生履歴情報記録手段は、外部出力手段により再生信号が外部に出力されたコンテンツのみを対象として、再生履歴情報を記録する外部出力専用記録手段と、外部出力手段により再生信号が外部に出力されたか否かに拘わらず、各コンテンツの再生履歴情報を記録する通常記録手段と、を有することを特徴とする。
【００２１】
この構成によれば、再生信号が外部に出力されか否かに拘わらず、各コンテンツの再生履歴情報を記録する通常記録手段を備えているため、実際にＯｎＡｉｒされたか否かではなく、再生された全てのコンテンツを示す再生履歴情報を記録したい場合に、便利である。
【００２２】
上記に記載の再生装置において、外部出力専用記録手段および通常記録手段のうち、いずれを機能させるか、若しくは両方を機能させるか否か、について設定するユーザー設定手段をさらに備えたことを特徴とする。
【００２３】
この構成によれば、ユーザーのニーズに応じて、外部出力専用記録手段を機能させるか、通常記録手段を機能させるか、両記録手段を機能させるか、両記録手段を機能させないか、のいずれかを選択することができる。
【００２４】
上記に記載の再生装置において、再生履歴情報記録手段は、同一コンテンツの再生中に、外部出力手段による再生信号の出力／非出力が繰り返された場合、当該コンテンツの出力回数を１回または繰り返し数に相当する回数として、再生履歴情報を記録することを特徴とする。
【００２５】
この構成によれば、本発明の再生装置が、クラブ等においてＤＪ機器として用いられた場合、パフォーマンス（エフェクト効果）の一種として、スクラッチやホットキューを使用することが頻繁にある。このような場合、再生中の再生信号が「非出力」となる度にコンテンツの出力回数をカウントすると、同じコンテンツが何度も繰り返し記録されることとなってしまう。このため、同一コンテンツの再生中における再生信号の出力回数を１回としてカウントすることで、適切な再生履歴情報を記録することができる。また、繰り返し数に相当する回数としてカウントすることで、記録された再生履歴情報から、繰り返し数も含めた再生回数を把握することができる。
なお、前者の場合、単に同一コンテンツの再生中における再生信号の出力／非出力を無視するのではなく、所定時間を設けて、カウントの要否を判別しても良い。例えば、所定時間３０秒以内に再生信号の出力／非出力が繰り返された場合は無視し、それを超えた場合のみ、コンテンツの出力回数をカウントするようにしても良い。また、この場合、「所定時間」について、ユーザーが設定可能としても良い。また、再生信号の出力／非出力が繰り返された場合、当該コンテンツの出力回数を１回としてカウントするか、繰り返し数に相当する回数だけカウントするか、について、ユーザーが設定可能としても良い。
【００２６】
上記に記載の再生装置において、記憶媒体は、再生装置に着脱可能な外部記憶媒体であることを特徴とする。
【００２７】
この構成によれば、ＵＳＢメモリやＳＤメモリカードなどの外部記憶媒体に、再生履歴情報を記録することができるため、持ち運びや管理が容易となる。
【００２８】
上記に記載の再生装置において、再生履歴情報記録手段により記録された各コンテンツの再生履歴情報を表示する情報表示手段をさらに備えたことを特徴とする。
【００２９】
この構成によれば、表示装置を別途用意しなくとも、再生装置において、再生履歴情報を確認することができる。
【００３０】
上記に記載の再生装置において、再生手段は、複数の記憶媒体からコンテンツを読み出して再生することが可能であり、再生履歴情報表示手段は、表示対象の再生履歴情報が記録されている記憶媒体から読み出したコンテンツと、表示対象の再生履歴情報が記録されている記憶媒体以外の記憶媒体から読み出したコンテンツと、を区別して、各コンテンツの再生履歴情報を表示することを特徴とする。
【００３１】
この構成によれば、表示された再生履歴情報から、記録されたコンテンツが、同一の記憶媒体内に記憶されているのか否かを確認することができる。
なお、区別する方法としては、表示対象の再生履歴情報が記録されている記憶媒体から読み出されたコンテンツと、そうでないコンテンツ、のいずれかまたは両方に対して、所定のマークを付加したり異なる表示色とするなど、両者が異なる表示形態で表示することが考えられる。
【００３２】
上記に記載の再生装置が、再生手段および再生履歴情報記録手段を有するプレーヤーと、プレーヤーと接続され、出力レベル調整手段および外部出力手段を有するミキサー装置と、から成ることを特徴とする。
【００３３】
この構成によれば、プレーヤーと、ミキサー装置との組み合わせによって、本発明の再生装置を実現することができる。
【００３４】
本発明のプレーヤーは、ミキサー装置に対し、再生信号を出力するプレーヤーであって、コンテンツを再生する再生手段と、再生手段による再生信号を、ミキサー装置に対して出力する再生信号出力手段と、再生信号出力手段により出力した再生信号がミキサー装置により外部出力されていることを示すＯｎＡｉｒ情報を、ミキサー装置から入力するＯｎＡｉｒ情報入力手段と、ＯｎＡｉｒ情報入力手段により入力されたＯｎＡｉｒ情報に基づいて、再生手段により再生されたコンテンツの再生履歴を示す再生履歴情報を記録する再生履歴情報記録手段と、を備えたことを特徴とする。
【００３５】
本発明の再生装置の再生履歴情報記録方法は、再生したコンテンツの再生履歴を示す再生履歴情報を記録する再生装置の再生履歴情報記録方法であって、再生装置が、コンテンツを再生するステップと、コンテンツを再生した再生信号の出力レベルを調整するステップと、出力レベルの調整結果に応じて、各コンテンツの再生履歴情報を記録するステップと、を実行することを特徴とする。
【００３６】
本発明のプレーヤーの再生履歴情報記録方法は、ミキサー装置に対し、再生信号を出力するプレーヤーの再生履歴情報記録方法であって、プレーヤーが、コンテンツを再生するステップと、コンテンツを再生した再生信号を、ミキサー装置に対して出力するステップと、出力した再生信号がミキサー装置により外部出力されていることを示すＯｎＡｉｒ情報を、ミキサー装置から入力するステップと、入力されたＯｎＡｉｒ情報に基づいて、再生したコンテンツの再生履歴を示す再生履歴情報を記録するステップと、を実行することを特徴とする。
【００３７】
本発明のプログラムは、コンピューターに、上記に記載の再生装置の再生履歴情報記録方法における各ステップ、および上記に記載のプレーヤーの再生履歴情報記録方法における各ステップの少なくとも一方を実行させるためのものであることを特徴とする。
【００３８】
これらの構成によれば、予定外のコンテンツを再生した場合でも、支障なくその再生履歴を記録可能なプレーヤー、再生装置の再生履歴情報記録方法、プレーヤーの再生履歴情報記録方法およびプログラムを提供することができる。
なお、上記に記載のプレーヤー、およびプレーヤーの再生履歴情報記録方法において、「ＯｎＡｉｒ情報」は、出力レベルが所定の出力レベル以上または所定の出力レベルを超えて外部出力されていることを示すものであっても良い。この場合、所定の出力レベルは、Ｍｉｎ（最小値）であっても良い。
【図面の簡単な説明】
【００３９】
【図１】本発明の一実施形態に係る再生システムのシステム構成図である。
【図２】プレーヤーを上側から見た平面図である。
【図３】ミキサー装置を上側から見た平面図である。
【図４】再生システムの機能ブロック図である。
【図５】ミキサー装置のＯｎＡｉｒ信号送信に関するメイン処理を示すフローチャートである。
【図６】ミキサー装置の出力レベル検出処理を示すフローチャートである。
【図７】プレーヤーの再生前処理を示すフローチャートである。
【図８】記録用データベースの記録内容を示す図である。
【図９】プレーヤーの再生履歴情報記録処理を示すフローチャートである。
【図１０】第１実施形態に係る再生リスト、ＯｎＡｉｒ回数表示および再生順序表示の一例を示す図である。
【図１１】第１実施形態に係るＯｎＡｉｒ回数表示および再生順序表示の変形例を示す図である。
【図１２】第１実施形態に係る再生順序表示の変形例を示す図である。
【図１３】第２実施形態に係る再生リスト、ＯｎＡｉｒ回数表示および再生順序表示の一例を示す図である。
【図１４】第２実施形態に係るＯｎＡｉｒ回数表示および再生順序表示の変形例を示す図である。
【図１５】再生装置の再生履歴情報記録処理（１）を示すフローチャートである。
【図１６】再生装置の再生履歴情報記録処理（２）を示すフローチャートである。
【図１７】再生装置の再生履歴情報記録処理（３）を示すフローチャートである。
【図１８】再生装置の再生履歴情報記録処理（４）を示すフローチャートである。
【発明を実施するための形態】
【００４０】
以下、本発明の一実施形態に係る再生装置、プレーヤー、再生装置の再生履歴情報記録方法、プレーヤーの再生履歴情報記録方法およびプログラムについて、添付図面を参照しながら詳細に説明する。本実施形態では、本発明の再生装置を、ＤＪが音楽パフォーマンスを行うためのＤＪ機器に適用した場合について例示する。
【００４１】
［第１実施形態］
図１は、本発明の再生装置１を適用した再生システムＳＹのシステム構成図である。同図に示すように、再生システムＳＹは、楽曲を再生する再生装置１と、再生装置１から出力された再生信号に基づいて音声を出力する出力装置３０と、を備えている。また、再生装置１は、１台以上のプレーヤー１０と、当該プレーヤー１０により再生された再生信号（音声信号）の出力制御を行うミキサー装置２０と、から成る。
【００４２】
プレーヤー１０は、ＣＤ、ＵＳＢメモリ、ＳＤメモリカードなどの各種デバイスＤを挿入可能となっており、これらの各デバイスＤから楽曲（コンテンツ）を読み出して再生する。また、ジョグダイヤル１２などの操作子を有し、ユーザーの操作に基づいて、再生状態の調節や、エフェクト効果の付加などの再生処理を行う。
【００４３】
ミキサー装置２０は、チャンネルフェーダー２５やクロスフェーダー２７などの操作子を有し、各プレーヤー１０から入力された再生信号の混合処理などを行う。また、ミキサー装置２０は、オーディオケーブル４１およびＯｎＡｉｒ信号送信用ケーブル４２を介して、各プレーヤー１０と接続されている。本実施形態では、１台のミキサー装置２０に４台のプレーヤー１０が接続され、ミキサー装置２０の「チャンネル１」〜「チャンネル４」が、それぞれ「プレーヤー１」〜「プレーヤー４」に対応しているものとする。
【００４４】
オーディオケーブル４１は、プレーヤー１０により再生された再生信号を入力するためのケーブルであり、ＲＣＡケーブルなどが用いられる。また、ＯｎＡｉｒ信号送信用ケーブル４２は、ミキサー装置２０が再生信号を出力装置３０に対して出力していること（ＯｎＡｉｒ状態であること）を示すＯｎＡｉｒ信号（ＯｎＡｉｒ情報）を、その再生信号の入力源となるプレーヤー１０に対して出力するためのケーブルであり、イーサネット（登録商標）ケーブルやＵＳＢケーブルなどが用いられる。
【００４５】
出力装置３０は、アンプ３１と、当該アンプ３１に接続された１台以上のスピーカー３２（図示では、２台）と、を有している。また、出力装置３０は、オーディオケーブル４１を介して、ミキサー装置２０と接続されている。なお、特に図示しないが、プレーヤー１０およびミキサー装置２０には、各ケーブル４１，４２が接続される端子（インターフェース）が設けられている。また、出力装置３０には、オーディオケーブル４１が接続される端子が設けられている。なお、上記の通りプレーヤー１０、ミキサー装置２０および出力装置３０間を有線接続とするのではなく、無線接続としても良い。すなわち、無線通信によって、再生信号やＯｎＡｉｒ信号の送受信を行っても良い。
【００４６】
次に、図２および図３を参照し、プレーヤー１０およびミキサー装置２０の装置構成について簡単に説明する。図２は、プレーヤー１０の装置構成を示す平面図である。プレーヤー１０は、表示部１１、ジョグダイヤル１２、ＣＤ挿入口１３、ＣＤ用イジェクトボタン１３ａ、ＵＳＢメモリスロット１４、ＵＳＢメモリ用イジェクトボタン１４ａ、ＳＤメモリカードスロット１５、ＳＤメモリカード用イジェクトボタン１５ａ、カーソルボタン１６ａ、エンターボタン１６ｂ、トラックサーチボタン１８ａ、マニュアルサーチボタン１８ｂ、キューボタン１８ｃおよびプレイ／ポーズボタン１８ｄなどを有している。
【００４７】
表示部１１は、液晶ディスプレイなどにより構成され、各種情報を表示する。また、ジョグダイヤル１２は、ジョグダイヤル本体１２ａと、ジョグＬＥＤ１２ｂと、を有する。ジョグダイヤル本体１２ａは、ユーザーにより回転操作が行われるものであり、ジョグＬＥＤ１２ｂは、プレーヤー１０で再生中の再生信号の出力レベルに応じて、点灯または点滅表示される。ここで、「再生中」とは、プレーヤー１０側で再生が行われていること（プレーヤー１０から再生信号が出力されていること）を意味するものであり、ミキサー装置２０により出力装置３０に対して再生信号が出力されていることを示す「ＯｎＡｉｒ状態」とは異なる。一方、カーソルボタン１６ａおよびエンターボタン１６ｂは、表示部１１に表示された各種項目の設定や選択を行うために用いられる。
【００４８】
図３は、ミキサー装置２０の装置構成を示す平面図である。ミキサー装置２０は、チャンネル毎に、チャンネル切替スイッチ２１、トリム調整ツマミ２２、チャンネルイコライザ調整ツマミ２３（高音用、中音用、低音用）、チャンネルフェーダー２５およびクロスフェーダーアサインスイッチ２６などを有している。また、装置手前側には、クロスフェーダー２７が設けられ、装置右手奥側には、マスター出力レベル調整ツマミ２８およびマスターレベルインジケーター２９などが設けられている。
【００４９】
チャンネル切替スイッチ２１は、ＣＤ／デジタル入力およびライン入力の２系統のうち、いずれかを選択するための操作子である。また、トリム調整ツマミ２２は、各チャンネルの入力レベルを調整するための操作子である。また、チャンネルイコライザ調整ツマミ２３は、各チャンネルの高音、中音、低音をそれぞれ調整するための操作子である。また、チャンネルフェーダー２５は、各チャンネルの出力レベルを調整するための操作子である。
【００５０】
また、クロスフェーダーアサインスイッチ２６は、各チャンネルの出力を、クロスフェーダー２７の左右（Ａ側またはＢ側）若しくは「スルー」のいずれに割り当てるかを選択するための操作子である。なお、複数のチャンネルが同じ側を選択した場合、それらを加算したものが割り当てられる。また、「スルー」が選択されている場合は、チャンネルフェーダー２５の出力は、クロスフェーダー２７を通らずに、そのままマスター出力に出ていくこととなる。
【００５１】
また、クロスフェーダー２７は、クロスフェーダーアサインスイッチ２６によって左右に割り当てられた各再生信号の混合割合を調整するための操作子である。また、マスター出力レベル調整ツマミ２８は、マスター出力の出力レベルを調整するための操作子である。また、マスターレベルインジケーター２９は、マスター出力レベルをＬＥＤ表示するものである。
【００５２】
なお、プレーヤー１０およびミキサー装置２０には、図２および図３で示したもの以外にも、多数の操作子やインジケーターが設けられているが、本発明とは直接関係しないため、それらの説明を省略する。
【００５３】
次に、図４を参照し、再生システムＳＹ（プレーヤー１０、ミキサー装置２０および出力装置３０）の機能構成について説明する。プレーヤー１０は、主な機能構成として、プレーヤー側制御手段１１０、再生手段１２０、プレーヤー側再生信号出力手段１３０、ＯｎＡｉｒ情報入力手段１４０、再生履歴情報記録手段１５０、情報表示手段１６０およびユーザー設定手段１７０を備えている。
【００５４】
プレーヤー側制御手段１１０は、マイコンなどを主な構成要素とし、プレーヤー１０内を統括制御する。例えば、ミキサー装置２０から、ＯｎＡｉｒ状態であることを示すＯｎＡｉｒ信号が入力された場合、プレーヤー側制御手段１１０は、当該ＯｎＡｉｒ信号に含まれる出力レベル信号に応じて、ジョグＬＥＤ１２ｂの輝度を決定し、点灯または点滅制御を行う。なお、点滅制御を行う場合、プレーヤー側制御手段１１０は、再生中の再生信号のＢＰＭに同期して、ジョグＬＥＤ１２ｂを点滅させる。
【００５５】
再生手段１２０は、デバイスＤから随時、所定量分の音声データを読み出して、内部メモリバッファＢに格納しておき、当該内部メモリバッファＢから読み出した音声データを再生する。なお、デバイスＤのように、プレーヤー１０に着脱可能な記憶媒体に記録されている音声データのみならず、プレーヤー１０に内蔵されたハードディスクのような記憶媒体に記録されている音声データを再生可能としても良い。
【００５６】
プレーヤー側再生信号出力手段１３０は、再生手段１２０により再生されている再生信号を、オーディオケーブル４１を介してミキサー装置２０に出力する。
【００５７】
ＯｎＡｉｒ情報入力手段１４０は、プレーヤー側再生信号出力手段１３０により出力した再生信号がミキサー装置２０により出力装置３０に対して出力されていることを示すＯｎＡｉｒ信号を、ＯｎＡｉｒ信号送信用ケーブル４２を介してミキサー装置２０から入力する。
【００５８】
再生履歴情報記録手段１５０は、再生手段１２０により再生された楽曲の再生履歴を示す再生履歴情報を記録する。本実施形態では、楽曲の再生元となるデバイスＤを記録対象とし、さらに各楽曲の再生時において、各楽曲がＯｎＡｉｒされたか否かに関する情報（後述する出力レベル調整手段２５０による出力レベルが所定の値を超えたかまたは所定の値以上であるかに関する情報）を記録する（詳細については、後述する）。また、再生履歴情報記録手段１５０は、同一楽曲の再生中に、ＯｎＡｉｒ信号の入力／非入力（後述するミキサー装置側再生信号出力手段２３０による再生信号の出力／非出力）が繰り返された場合、当該楽曲のＯｎＡｉｒ回数（出力回数）を１回として記録する。これにより、正確な再生履歴情報を記録することができる。例えば、本実施形態における再生装置１が、クラブ等においてＤＪ機器として用いられた場合、ミキサー装置２０のフェーダー２５，２７操作によるスクラッチなどの利用によって、ＯｎＡｉｒ信号の入力／非入力が繰り返されることが想定できる。このような状況では、再生中の再生信号が「非出力」となる度に楽曲の出力回数をカウントすると、同じ楽曲が何度も繰り返し記録されることとなってしまう。このため、同一楽曲の再生中における再生信号の出力／非出力を無視することで、ＯｎＡｉｒ回数が不必要に加算されることがなく、適切な再生履歴情報を記録することができる。
【００５９】
情報表示手段１６０は、表示部１１を主な構成要素とし、再生履歴情報記録手段１５０により記録された再生履歴情報など、各種情報を表示する。再生履歴情報としては、具体的に、各楽曲のＯｎＡｉｒ回数と、再生順序（履歴）と、を表示する（図１０（ｂ），（ｃ）参照）。また、再生順序を表示する際は、実際にＯｎＡｉｒされた楽曲と、ＯｎＡｉｒされていない楽曲と、を区別して表示する。
【００６０】
ユーザー設定手段１７０は、カーソルボタン１６ａおよびエンターボタン１６ｂを主な構成要素とし、再生履歴情報の記録対象となるデバイスＤを指定するなど、各種設定を行う。再生履歴情報の記録対象となるデバイスＤとしては、本実施形態の場合、ＵＳＢメモリまたはＳＤメモリカードのいずれか、または両方を指定可能である。なお、指定方法としては、デバイスＤをプレーヤー１０に挿入した際に、表示部１１に再生履歴情報を記録するか否かを表示して、ユーザーに選択させる方法が考えられる。また、外部アプリケーションを利用して、再生履歴情報の記録／非記録を指定するようにしても良い。以下、ユーザー設定手段１７０により、再生履歴情報の記録対象として指定されたデバイスＤを、「記録指定デバイスＤ」と称する。
【００６１】
続いて、ミキサー装置２０の機能構成について説明する。ミキサー装置２０は、主な機能構成として、ミキサー装置側制御手段２１０、ミキサー装置側再生信号入力手段２２０、ミキサー装置側再生信号出力手段２３０（外部出力手段）、ＯｎＡｉｒ情報出力手段２４０および出力レベル調整手段２５０を備えている。
【００６２】
ミキサー装置側制御手段２１０は、マイコンなどを主な構成要素とし、ミキサー装置２０内を統括制御する。ミキサー装置側再生信号入力手段２２０は、プレーヤー側再生信号出力手段１３０から出力された再生信号を、オーディオケーブル４１を介して入力する。
【００６３】
ミキサー装置側再生信号出力手段２３０は、ミキサー装置側再生信号入力手段２２０により入力された再生信号を、オーディオケーブル４１を介して出力装置３０に出力する。すなわち、再生装置１から再生信号を外部出力する外部出力手段として機能する。なお、ここで出力する再生信号は、入力された再生信号に混合処理や出力レベル調整処理などを施したものであり、入力された再生信号そのものではない。
【００６４】
ＯｎＡｉｒ情報出力手段２４０は、ミキサー装置側再生信号出力手段２３０により出力装置３０に対して再生信号を出力していることを示すＯｎＡｉｒ信号を、ＯｎＡｉｒ信号送信用ケーブル４２を介して、再生信号の入力源となるプレーヤー１０（ＯｎＡｉｒ情報入力手段１４０）に出力する。また、上記の通り、ＯｎＡｉｒ情報出力手段２４０は、ＯｎＡｉｒ信号の一部として、再生信号の出力レベルに関する出力レベル信号を出力する。なお、ミキサー装置２０では、ユーザーの操作により、ＯｎＡｉｒ信号の送信の有無を設定可能となっている。このため、ＯｎＡｉｒ情報出力手段２４０は、ＯｎＡｉｒ信号の送信「有」と設定されている場合（ＯｎＡｉｒ信号送信設定の場合）のみＯｎＡｉｒ信号を送信し、ＯｎＡｉｒ信号の送信「無」と設定されている場合（ＯｎＡｉｒ信号非送信設定の場合）はＯｎＡｉｒ信号を送信しない。
【００６５】
出力レベル調整手段２５０は、トリム調整ツマミ２２、チャンネルフェーダー２５、クロスフェーダー２７およびマスター出力レベル調整ツマミ２８を主な構成要素とし、ミキサー装置２０（再生装置１）から出力される音声信号の出力レベルを調整する。詳細については、後述する。
【００６６】
続いて、出力装置３０の機能構成について説明する。出力装置３０は、主な機能構成として、出力装置側制御手段３１０、出力装置側再生信号入力手段３２０、増幅手段３３０および出力装置側出力手段３４０を備えている。
【００６７】
出力装置側制御手段３１０は、マイコンなどを主な構成要素とし、出力装置３０内を統括制御する。出力装置側再生信号入力手段３２０は、ミキサー装置側再生信号出力手段２３０により出力された再生信号を、オーディオケーブル４１を介して入力する。
【００６８】
増幅手段３３０は、アンプ３１を主な構成要素とし、出力装置側再生信号入力手段３２０により入力された再生信号を、増幅回路により増幅する。また、出力装置側出力手段３４０は、スピーカー３２を主な構成要素とし、増幅手段３３０により増幅された音声信号を音声として出力する。
【００６９】
次に、図５ないし図１１を参照し、第１実施形態に係る再生システムＳＹ（特に、再生装置１）の具体的な動作について説明する。図５は、ミキサー装置２０のＯｎＡｉｒ信号送信に関するメイン処理を示すフローチャートである。
【００７０】
ミキサー装置２０（ミキサー装置側制御手段２１０）は、マスター出力レベル調整ツマミ２８の設定が、所定のしきい値（例えば、Ｍｉｎ＝最小値）を超えているか否かを判別し（Ｓ１１）、超えている場合は（Ｓ１１：Ｙｅｓ）、各チャンネルの出力レベル検出処理（図６参照）を行う（Ｓ１２）。また、各チャンネルの出力レベル検出処理によって、ＯｎＡｉｒ状態と判定され、さらにＯｎＡｉｒ信号送信設定の場合は（Ｓ１３：Ｙｅｓ）、そのチャンネルに対応するプレーヤー１０を送信対象として、ＯｎＡｉｒ信号送信処理を行う（Ｓ１４）。
【００７１】
一方、マスター出力レベル調整ツマミ２８の設定が所定のしきい値以下の場合（Ｓ１１：Ｎｏ）、並びにＯｎＡｉｒ信号非送信設定の場合は（Ｓ１３：Ｎｏ）、ＯｆｆＡｉｒ状態と判別し、ＯｎＡｉｒ信号を送信しない（Ｓ１５）。なお、同図に示したフローチャートは、ミキサー装置２０の起動中、繰り返し実行される。
【００７２】
次に、図６のフローチャートを参照し、ミキサー装置２０の出力レベル検出処理について説明する。当該フローチャートは、図５に示したフローチャートのＳ１２に相当するサブルーチンであり、チャンネル毎に実行されるものである。
【００７３】
ミキサー装置２０（ミキサー装置側制御手段２１０）は、まず、チャンネル切替スイッチ２１の設定が、入力端子側であるか否かを判別し（Ｓ２１）、入力端子側である場合は（Ｓ２１：Ｙｅｓ）、続いて、トリム調整ツマミ２２の設定（ボリューム値）が、所定のしきい値を超えているか否かを判別する（Ｓ２２）。トリム調整ツマミ２２の設定が所定のしきい値を超えている場合は（Ｓ２２：Ｙｅｓ）、続いて、チャンネルフェーダー２５の設定が、所定のしきい値を超えているか否かを判別する（Ｓ２３）。
【００７４】
チャンネルフェーダー２５の設定が、所定のしきい値を超えている場合は（Ｓ２３：Ｙｅｓ）、続いて、クロスフェーダーアサインスイッチ２６がＡ側またはＢ側を選択しているか否かを判別する（Ｓ２４）。クロスフェーダーアサインスイッチ２６がＡ側またはＢ側を選択している場合は（Ｓ２４：Ｙｅｓ）、クロスフェーダー２７の設定が、（アサインされた側を基準として）所定のしきい値を超えているか否かを判別し（Ｓ２５）、所定のしきい値を超えている場合は（Ｓ２５：Ｙｅｓ）、ＯｎＡｉｒ状態であると判別する（Ｓ２６）。また、クロスフェーダーアサインスイッチ２６が「スルー」を選択している場合は（Ｓ２４：Ｎｏ）、Ｓ２５の判別を省略し、ＯｎＡｉｒ状態であると判別する（Ｓ２６）。
【００７５】
一方、チャンネル切替スイッチ２１の設定が入力端子側でない場合（Ｓ２１：Ｎｏ）、トリム調整ツマミ２２の設定が所定のしきい値以下の場合（Ｓ２２：Ｎｏ）、チャンネルフェーダー２５の設定が所定のしきい値以下の場合（Ｓ２３：Ｎｏ）、クロスフェーダー２７の設定が所定のしきい値以下の場合（Ｓ２５：Ｎｏ）は、ＯｆｆＡｉｒ状態であると判別する（Ｓ２７）。なお、図６に示したフローチャートでは、ＯｎＡｉｒ状態かＯｆｆＡｉｒ状態かの判別のみ行っているが、当該工程により、各チャンネルのボリューム値または音量についても検出しているものとする。各チャンネルのボリューム値または音量は、後述する出力レベル信号の生成に用いられる。
【００７６】
なお、図５および図６に示したフローチャートでは、マスター出力レベル調整ツマミ２８、トリム調整ツマミ２２、チャンネルフェーダー２５およびクロスフェーダー２７など、各操作子の設定（ボリューム値）に基づいて判別を行っているが、各操作子の設定によって可変する音量レベルに基づいて判別を行っても良い。この場合は、各音量レベルが所定のしきい値以上であるか否かによって判別することが好ましい。つまり、「各操作子の音量レベル≧所定のしきい値」を判別することで、無音の楽曲が再生された場合でも、正確にＯｎＡｉｒ状態を判定することができる。これに対し、上記の例のように、各操作子のボリューム値に基づいて判別する場合は、「各操作子のボリューム値≧所定のしきい値」として判別を行うと、所定のしきい値＝Ｍｉｎの場合、ボリューム値をＭｉｎにしてもＯｎＡｉｒ状態と判定されてしまうため、「各操作子のボリューム値＞所定のしきい値」として判別を行うことが好ましい。
【００７７】
次に、図７のフローチャートを参照し、プレーヤー１０の再生前処理について説明する。プレーヤー１０（プレーヤー側制御手段１１０）は、デバイスＤが挿入されると（Ｓ３１）、そのデバイスＤが記録指定デバイスＤであるか否かを判別する（Ｓ３２）。記録指定デバイスＤである場合は（Ｓ３２：Ｙｅｓ）、そのデバイスＤに、再生履歴情報を記録するための記録用データベース６０（図８参照）が作成済みであるか否かを判別する（Ｓ３３）。記録用データベース６０が作成済みの場合は（Ｓ３３：Ｙｅｓ）、そのまま再生処理に移行する（Ｓ３４）。一方、記録用データベース６０が作成済みでない場合は（Ｓ３３：Ｎｏ）、記録用データベース６０を作成した後（Ｓ３５）、再生処理に移行する（Ｓ３４）。
【００７８】
図８は、上記のフローチャートのＳ３５において作成される記録用データベース６０を示す図である。図８（ａ）は、記録用データベース６０として、通常データベースのみを作成する場合の記録内容を示す図であり、図８（ｂ）は、記録用データベース６０として、通常データベースおよびＯｎＡｉｒ専用データベースの２種類を作成する場合の記録内容を示す図である。
【００７９】
図８（ａ）に示すように、通常データベースには、「曲情報」、「ＯｎＡｉｒの有無」、「ＯｎＡｉｒ開始時間」および「ＯｎＡｉｒ終了時間」が記録される。「曲情報」としては、曲目（曲名）、アーティスト名、曲時間などが記録される。その他、ＩＤ３によって定義される各種情報（アルバム名、日付、コメントなど）を記録しても良い。また、「ＯｎＡｉｒの有無」とは、各楽曲が実際にＯｎＡｉｒされたか否かを示す情報である。また、「ＯｎＡｉｒ開始時間」は、その楽曲のＯｎＡｉｒ（ミキサー装置側再生信号出力手段２３０からの再生信号の出力）が開始された時間を指し、「ＯｎＡｉｒ終了時間」は、その楽曲のＯｎＡｉｒが終了された時間を指す。例えば、ある楽曲を、開始２５秒から１分３０秒まで演奏した場合、「ＯｎＡｉｒ開始時間＝００ｈ００ｍ２５ｓ」、「ＯｎＡｉｒ終了時間＝００ｈ０１ｍ３０ｓ」と記録される。なお、同一楽曲の再生中に、ＯｎＡｉｒ信号の入力／非入力が繰り返された場合、「ＯｎＡｉｒ終了時間」は、最後にＯｎＡｉｒ信号が非入力となった時間を指す。但し、ＯｎＡｉｒ信号の入力／非入力が繰り返されるたびに「ＯｎＡｉｒ開始時間」と「ＯｎＡｉｒ終了時間」を、順次記録するようにしても良い（図１２（ｄ），「曲Ｂ」の「ＯｎＡｉｒ開始時間」および「ＯｎＡｉｒ終了時間」参照）。
【００８０】
なお、上記のように、通常データベースだけでなく、図８（ｂ）に示すように、通常データベースおよびＯｎＡｉｒ専用データベースの２種類のデータベースを作成するようにしても良い。この場合、ＯｎＡｉｒ専用データベースは、ＯｎＡｉｒされた楽曲のみを対象として作成される。したがって、「ＯｎＡｉｒの有無」については記録されない。なお、請求項における「通常記録手段」とは、通常データベースを作成することを指す。また、請求項における「外部出力専用記録手段」とは、ＯｎＡｉｒ専用データベースを作成することを指す。
【００８１】
また、上記に示した情報以外に、「ＯｎＡｉｒ時間」、「ＯｎＡｉｒ開始時刻」および「ＯｎＡｉｒ終了時刻」などを記録可能としても良い。ここで、「ＯｎＡｉｒ時間」とは、ＯｎＡｉｒ状態となっていた時間を指す。例えば、ある楽曲を、開始２５秒から１分３０秒まで演奏した場合、「ＯｎＡｉｒ時間＝００ｈ０１ｍ０５ｓ」と記録される。また、「ＯｎＡｉｒ開始時刻」とは、ＯｎＡｉｒ開始時点の時刻を指し、「ＯｎＡｉｒ終了時刻」とは、ＯｎＡｉｒ終了時点の時刻を指す。例えば、ある楽曲を、夜１１時から１１時３分まで演奏した場合、「ＯｎＡｉｒ開始時刻＝２３：００」、「ＯｎＡｉｒ終了時刻＝２３：０３」と記録される。
【００８２】
次に、図９のフローチャートを参照し、プレーヤー１０の再生履歴情報記録処理について説明する。プレーヤー１０（プレーヤー側制御手段１１０）は、デバイスＤから読み出した楽曲の再生を開始すると（Ｓ３６）、ミキサー装置２０からＯｎＡｉｒ信号を受信しているか否かを判別する（Ｓ３７）。ここで、ＯｎＡｉｒ信号を受信している場合は（Ｓ３７：Ｙｅｓ）、ＯｎＡｉｒ時間の計測中であるか否かを判別し（Ｓ３８）、ＯｎＡｉｒ時間の計測中でないと判別された場合は（Ｓ３８：Ｎｏ）、ＯｎＡｉｒ開始時刻およびＯｎＡｉｒ開始時間を記録する（Ｓ３９）。その後、ＯｎＡｉｒ時間の計測を開始する（Ｓ４０）。
【００８３】
一方、ＯｎＡｉｒ時間の計測中の場合は（Ｓ３８：Ｙｅｓ）、Ｓ３９およびＳ４０を省略する。また、Ｓ３７において、ＯｎＡｉｒ信号を受信していないと判別された場合は（Ｓ３７：Ｎｏ）、ＯｎＡｉｒ時間の計測中であるか否かを判別し（Ｓ４１）、ＯｎＡｉｒ時間の計測中である場合は（Ｓ４１：Ｙｅｓ）、ＯｎＡｉｒ時間の計測を終了し（Ｓ４２）、ＯｎＡｉｒ終了時刻およびＯｎＡｉｒ終了時間を記録する（Ｓ４３）。また、Ｓ４１において、ＯｎＡｉｒ時間の計測中でないと判別された場合は（Ｓ４１：Ｎｏ）、Ｓ４２およびＳ４３を省略する。
【００８４】
続いて、Ｓ４０またはＳ４３の後、別の楽曲に変更されたか、若しくは再生終了したかを判別する（Ｓ４４）。これらのいずれでもない場合は（Ｓ４４：Ｎｏ）、Ｓ３７に戻り、これらのいずれかに該当する場合は（Ｓ４４：Ｙｅｓ）、ＯｎＡｉｒ時間の計測中であるか否かを判別する（Ｓ４５）。ＯｎＡｉｒ時間の計測中である場合は（Ｓ４５：Ｙｅｓ）、ＯｎＡｉｒ時間の計測を終了し（Ｓ４６）、ＯｎＡｉｒ終了時刻およびＯｎＡｉｒ終了時間を記録する（Ｓ４７）。また、ＯｎＡｉｒ時間の計測中でない場合は（Ｓ４５：Ｎｏ）、Ｓ４６およびＳ４７を省略する。続いて、Ｓ４７の後、ＯｎＡｉｒ時間の計測結果があるか否かを判別し（Ｓ４８）、計測結果がある場合は（Ｓ４８：Ｙｅｓ）、曲情報と共に各ＯｎＡｉｒ時間（およびそれらの累計時間）を記録し（Ｓ４９）、処理を終了する。一方、ＯｎＡｉｒ時間の計測結果がない場合は（Ｓ４８：Ｎｏ）、通常履歴記録を行う（Ｓ５０）。つまり、一度もＯｎＡｉｒ信号を受信しない場合は、ここで曲情報のみを記録する。
【００８５】
なお、同一楽曲の再生中に、ＯｎＡｉｒ状態とＯｆｆＡｉｒ状態とが繰り返された場合、最初のＯｎＡｉｒ開始時刻・時間と最後のＯｎＡｉｒ終了時刻・時間のみ記録するようにすれば、同じ楽曲が何度も繰り返し記録されることがない。これにより、記録する情報量を少なくすることができると共に、表示部１１に再生履歴情報を表示した際、同じ楽曲が何度も繰り返し記録されることによる見づらさを解消することができる。また、ＯｎＡｉｒ状態とＯｆｆＡｉｒ状態とが繰り返されるたびに、ＯｎＡｉｒ開始時刻・時間とＯｎＡｉｒ終了時刻・時間とを記録するようにすれば、ＯｎＡｉｒ状態とＯｆｆＡｉｒ状態の切り替えタイミングなど、詳細な情報を記録することができる。
【００８６】
次に、図１０を参照し、再生履歴情報の具体的な表示例について説明する。図１０（ａ）は、再生リストの一例を示している。同図に示すように、以下の説明においては、「プレーヤー１」のＵＳＢメモリから「曲Ａ」がＯｆｆＡｉｒ状態で再生され、続いて「プレーヤー１」のＵＳＢメモリから「曲Ｂ」がＯｎＡｉｒ状態で再生され、続いて「プレーヤー２」のＵＳＢメモリから「曲Ｃ」がＯｎＡｉｒ状態で再生され、続いて「プレーヤー１」のＣＤから「曲Ｄ」がＯｎＡｉｒ状態で再生された場合について例示する。
【００８７】
図１０（ｂ）は、プレーヤー１０の表示部１１に表示されるＯｎＡｉｒ回数表示の一例を示す図であり、図１０（ｃ）は、同じくプレーヤー１０の表示部１１に表示される再生順序表示の一例を示す図である。なお、両表示の切り替えは、プレーヤー１０のカーソルボタン１６ａやエンターボタン１６ｂを用いて行われる（図２参照）。また、両図とも、「プレーヤー１」のＵＳＢメモリが記録指定デバイスＤとして指定され、当該ＵＳＢメモリの記録用データベース６０に記録されている再生履歴情報を表示した場合について例示している。
【００８８】
図１０（ｂ）に示すように、ＯｎＡｉｒ回数表示としては、「プレーヤー１」のＵＳＢメモリから再生された楽曲について、曲目、曲付随情報（メタデータ、曲情報に含まれる曲目以外の情報）およびＯｎＡｉｒ回数を表示する。このように、第１実施形態に係るＯｎＡｉｒ回数表示は、ＯｎＡｉｒされていない楽曲（「曲Ａ」）についても表示される（＜通常版＞）。なお、上記の通り、同一楽曲の再生中に、ＯｎＡｉｒ信号の入力／非入力が繰り返された場合でも、当該楽曲のＯｎＡｉｒ回数は１回としてカウントされる。
【００８９】
一方、図１０（ｃ）に示すように、再生順序表示としては、「プレーヤー１」のＵＳＢメモリから再生された楽曲について、曲目、曲付随情報、ＯｎＡｉｒ開始時間およびＯｎＡｉｒ終了時間を表示する。なお、ＯｎＡｉｒ時間、ＯｎＡｉｒ開始時刻およびＯｎＡｉｒ終了時刻を表示する場合については、後述する。再生順序表示においても、ＯｎＡｉｒされていない楽曲について表示するが、ＯｎＡｉｒされたか否かを区別して表示する（＜ＯｎＡｉｒ区別版＞）。具体的には、ＯｎＡｉｒされた楽曲のみ、その曲目にＯｎＡｉｒマーク７１を付加して表示する。
【００９０】
なお、所定のマークを付加する以外にも、ＯｎＡｉｒされた楽曲とＯｎＡｉｒされていない楽曲の曲目を異なる表示色で表示したり、いずれか一方を点滅表示したり、アイコンを付加したりしても良い。すなわち、ＯｎＡｉｒされた楽曲とＯｎＡｉｒされていない楽曲が、何らかの異なる表示形態で表示されることが好ましい。また、曲目以外の項目について、両楽曲の表示形態を変化させても良い。
【００９１】
次に、図１１を参照し、第１実施形態に係るＯｎＡｉｒ回数表示および再生順序表示の変形例について説明する。図１１（ａ）は、ＯｎＡｉｒ回数表示の変形例を示す図である。同図に示すように、「プレーヤー１」のＵＳＢメモリから再生された楽曲のうち、ＯｎＡｉｒされた楽曲のみを対象として、ＯｎＡｉｒ回数表示を行っても良い（＜ＯｎＡｉｒ限定版＞）。
【００９２】
また、図１１（ｂ）および（ｃ）は、再生順序表示の変形例を示す図である。図１１（ｂ）に示すように、「プレーヤー１」のＵＳＢメモリから再生された楽曲について、ＯｎＡｉｒされたか否かを区別することなく、再生順序表示を行っても良い（＜通常版＞）。また、図１１（ｃ）に示すように、「プレーヤー１」のＵＳＢメモリから再生された楽曲のうち、ＯｎＡｉｒされた楽曲のみに限定して再生順序表示を行っても良い（＜ＯｎＡｉｒ限定版＞）。
【００９３】
なお、図８（ｂ）に示したように、記録用データベース６０として２種類のデータベースを作成した場合であって、＜ＯｎＡｉｒ限定版＞のＯｎＡｉｒ回数表示（図１１（ａ））および＜ＯｎＡｉｒ限定版＞の再生順序表示（図１１（ｃ））を行う場合は、ＯｎＡｉｒ専用データベースから読み出した再生履歴情報に基づいて、表示を行うようにしても良い。
【００９４】
また、ＯｎＡｉｒ回数表示について、＜通常版＞と＜ＯｎＡｉｒ限定版＞のいずれで表示するか、再生順序表示について、＜通常版＞、＜ＯｎＡｉｒ限定版＞、＜ＯｎＡｉｒ区別版＞のいずれで表示するか、について、ユーザー設定手段１７０により設定可能としても良い。
【００９５】
次に、図１２を参照し、第１実施形態に係る再生順序表示の変形例について説明する。図１０および図１１の例では、再生順序表示として、ＯｎＡｉｒ開始時間およびＯｎＡｉｒ終了時間を示したが、ここでは、ＯｎＡｉｒ時間、ＯｎＡｉｒ開始時刻およびＯｎＡｉｒ終了時刻を表示する場合について説明する。例えば、図１２（ａ），（ｂ）に示すように、「曲Ｂ」が、再生時間ｔ１からｔ２までの期間Ｔ１（５０秒間）ＯｎＡｉｒ状態であり、再生時間ｔ２からｔ３までの期間Ｔ２（１分３０秒間）ＯｆｆＡｉｒ状態であり、再生時間ｔ３からｔ４までの期間Ｔ３（１分１０秒間）ＯｎＡｉｒ状態であったものとする。また、再生時間ｔ１，ｔ２，ｔ３，ｔ４の時点における絶対時刻が２３：００：００，２３：００：５０，２３：０２：２０，２３：０３：３０であったものとする。
【００９６】
この場合、図１０（ｃ）に示した再生順序表示＜ＯｎＡｉｒ区別版＞は、図１２（ｃ）に示すパターン１のように表示することができる。つまり、「プレーヤー１」のＵＳＢメモリから再生された各楽曲について、ＯｎＡｉｒ開始時間およびＯｎＡｉｒ終了時間の他に、ＯｎＡｉｒ時間、ＯｎＡｉｒ開始時刻およびＯｎＡｉｒ終了時刻を表示する。ここで、「曲Ｂ」については、ＯｎＡｉｒとＯｆｆＡｉｒとが繰り返されているため、ＯｎＡｉｒ時間は、ＯｎＡｉｒ状態であった再生時間ｔ１からｔ２までの５０秒間と、再生時間ｔ３からｔ４までの１分１０秒間と、の合計（２分間）となる。また、ＯｎＡｉｒ開始時刻としては、再生時間ｔ１における絶対時刻（２３：００：００）を表示し、ＯｎＡｉｒ終了時刻としては、再生時間ｔ４における絶対時刻（２３：０３：３０）を表示する。つまり、同一曲の再生中に、ＯｎＡｉｒとＯｆｆＡｉｒが繰り返された場合は、最初のＯｎＡｉｒ開始時刻と、最後のＯｎＡｉｒ終了時刻を表示する。
【００９７】
一方、ＯｎＡｉｒ時間、ＯｎＡｉｒ開始・終了時刻およびＯｎＡｉｒ開始・終了時間については、ＯｎＡｉｒとＯｆｆＡｉｒが繰り返されるたびに記録しても良い。この場合、再生順序表示＜ＯｎＡｉｒ区別版＞は、図１２（ｄ）に示すパターン２のように表示される。つまり、「曲Ｂ」について、再生時間ｔ１からｔ２までの期間Ｔ１（５０秒間）と、再生時間ｔ３からｔ４までの期間Ｔ３（１分１０秒間）と、が記録される。また、この場合、「曲Ｂ」の再生回数は、ＯｎＡｉｒ状態となった回数（上記の例では、２回）となる。
【００９８】
なお、図１２（ｃ）に示したパターン１のように表示するか、図１２（ｄ）に示したパターン２のように表示するか、表示対象項目（ＯｎＡｉｒ時間、ＯｎＡｉｒ開始・終了時刻およびＯｎＡｉｒ開始・終了時間のうち、いずれか１以上の項目）について、ユーザー設定手段１７０により設定可能としても良い。
【００９９】
以上、説明したとおり、本発明の第１実施形態によれば、実際にＯｎＡｉｒされたか否かを考慮して、再生履歴情報を記録することができるため、当該再生履歴情報を、次回の選曲の検討やリコメンド機能に有効に利用することができる。また、予めキューシートを作成しておくなど事前準備の必要がないため、予定外の楽曲を再生した場合でも、支障なくその再生履歴を記録することができる。
【０１００】
また、再生履歴情報記録手段１５０は、楽曲の再生元となるデバイスＤに、その楽曲の再生履歴情報を記録するため、後に再生履歴情報に基づく再生を行う場合、楽曲の検索および再生が容易となる。また、再生履歴情報記録手段１５０は、ＯｎＡｉｒの有無に関する情報を記録するため、ユーザーは、情報表示手段１６０の表示（ＯｎＡｉｒマーク７１の有無）から、その楽曲が実際にＯｎＡｉｒされたか否かを確認することができる。
【０１０１】
また、再生履歴情報は、ＵＳＢメモリやＳＤメモリカードなどのデバイスＤに記録されるため、持ち運びや管理が容易である。また、再生履歴情報は、プレーヤー１０の表示部１１で表示可能であるため、別途表示装置を用意しなくとも、その場で、再生履歴情報を確認することができる。
【０１０２】
なお、上記の実施形態では、デバイスＤから楽曲（音声データ）を読み出す場合について例示したが、映像コンテンツ（映像データ）を読み出す場合にも適用可能である。つまり、「再生信号」は、音声信号および映像信号のいずれであっても良い。但し、この場合、出力装置３０は、ディスプレイなどの表示装置となる。
【０１０３】
また、上記の実施形態において、通常データベースとＯｎＡｉｒ専用データベースの２種類を作成する場合について説明したが（図８（ｂ）参照）、記録用データベース６０として、ＯｎＡｉｒ専用データベースのみを作成するようにしても良い。但し、ＯｎＡｉｒ専用データベースのみを作成する場合は、図９のフローチャートにおいて、Ｓ４３およびＳ４４を省略し、Ｓ４１：Ｎｏの場合、Ｓ４１に戻ることになる。さらに、Ｓ５０：Ｙｅｓの場合、Ｓ４９に移行せず、Ｓ４０に戻ることになる。この構成によれば、ＯｎＡｉｒの対象となっていない楽曲の記録を省略できるため、実際にＯｎＡｉｒされた楽曲の再生履歴情報のみを記録したい場合に、便利である。また、ユーザー設定手段１７０により、作成するデータベースの種類を指定できるようにしても良い。
【０１０４】
また、上記の実施形態では、再生履歴情報を、表示部１１に表示して確認する場合について説明したが、当該再生履歴情報は、デバイスＤを読み取り可能なプレーヤー１０以外の電子機器によって、表示または印刷出力することが可能である。これにより、プレーヤー１０から離れた場所で、次回の演奏に利用する楽曲の検討、選曲のリコメンド機能、インターネットを利用した情報公開、別の会場の演奏に利用するためのプレイリストの作成、自宅の音楽プレーヤーやカーオーディオなどによる音楽再生などに、再生履歴情報を有効利用することができる。
【０１０５】
また、上記の実施形態では、ＯｎＡｉｒ信号の入力／非入力が繰り返された場合、当該楽曲のＯｎＡｉｒ回数は１回としてカウントするものとしたが、所定時間を設けて、カウントの要否を判別しても良い。例えば、所定時間３０秒以内にＯｎＡｉｒ信号の入力／非入力が繰り返された場合はカウント対象外とし、それを超えた場合のみ、カウントの対象とするようにしても良い。また、この場合、ユーザー設定手段１７０により、「所定時間」について設定可能としても良い。
【０１０６】
［第２実施形態］
次に、図１３ないし図１８を参照し、本発明の第２実施形態について説明する。上記の第１実施形態では、楽曲の再生元となるデバイスＤに、その楽曲の再生履歴情報を記録するものとしたが、本実施形態では、楽曲の再生元に拘わらず、再生された楽曲の再生履歴情報を記録指定デバイスＤに記録する点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【０１０７】
図１３は、第２実施形態に係る再生履歴情報の具体的な表示例を示す図である。本実施形態では、記録用データベース６０（図８参照）に、自デバイスＤ以外のデバイスＤから再生された楽曲の再生履歴情報についても記録されているものとする。
【０１０８】
図１３（ａ）は、再生リストを示している（図１０（ａ）と同様）。また、図１３（ｂ）は、第２実施形態に係るＯｎＡｉｒ回数表示＜通常版＞の一例を示す図である。ここでは、「プレーヤー１」のＵＳＢメモリが記録指定デバイスＤとして指定された場合について例示しているが、本実施形態では、再生元が当該ＵＳＢメモリである楽曲以外の楽曲（「曲Ｃ」および「曲Ｄ」）についても、記録されている。
【０１０９】
但し、情報表示手段１６０は、再生履歴情報を表示する際、記録指定デバイスＤであるＵＳＢメモリに記憶されていない楽曲（「曲Ｃ」および「曲Ｄ」）については、その曲目にｕｎｋｎｏｗｎマーク７２を付加して表示する。これにより、再生履歴情報が記録されているデバイスＤ内に、その楽曲が記録されていないことを、ユーザーに示すことができる。なお、例えば「プレーヤー２」のＳＤメモリカードから「曲Ａ」を再生した場合であって、「プレーヤー１」のＵＳＢメモリに記録されている再生履歴情報を表示した場合、ＵＳＢメモリには「曲Ａ」が記録されているため、ｕｎｋｎｏｗｎマーク７２は付加されない。つまり、再生履歴情報の表示対象となっている記録指定デバイスＤ以外のデバイスＤから読み出した楽曲であっても、同一楽曲が記録指定デバイスＤに記録されている場合は、ｕｎｋｎｏｗｎマーク７２を表示しない。同一楽曲であるか否かの判定は、曲情報の全一致または部分一致によって行う。
【０１１０】
なお、上記のように、ｕｎｋｎｏｗｎマーク７２を付加して表示するのではなく、グレーアウトにして表示したりアイコンを付加したりしても良い。その他、再生履歴情報の表示対象となっている記録指定デバイスＤから読み出した楽曲と、そうでない楽曲とを、異なる表示形態で表示することが好ましい。また、曲目以外の項目について、両楽曲を区別して表示しても良い。
【０１１１】
また、第２実施形態に係るＯｎＡｉｒ回数表示では、ＯｎＡｉｒ回数を、自デバイスのみを対象としてカウントしたものと、他デバイスを含めてカウントしたものとに分けて表示する。当該表示は、楽曲を読み出したデバイスＤが、自デバイス（再生履歴情報が記録されているデバイスＤ）であるか否かによって、区別されている。これにより、ユーザーは、自デバイスに記憶されている楽曲の使用状況と、他デバイスを含めた楽曲の使用状況と、をそれぞれ把握することができる。
【０１１２】
図１３（ｃ）は、第２実施形態に係る再生順序表示＜ＯｎＡｉｒ区別版＞の一例を示す図である。同図に示すように、再生順序表示でも、上記のＯｎＡｉｒ回数表示と同様に、再生元が当該ＵＳＢメモリである楽曲以外の楽曲（「曲Ｃ」および「曲Ｄ」）についても、表示対象となっている。また、再生履歴情報の表示対象となっている記録指定デバイスＤに記録されていない楽曲については、ｕｎｋｎｏｗｎマーク７２を付加して表示する。さらに、第１実施形態と同様に、ＯｎＡｉｒされた楽曲のみ、ＯｎＡｉｒマーク７１を付加して表示する。なお、図１３（ｃ）では、ＯｎＡｉｒ開始時間およびＯｎＡｉｒ終了時間のみを図示しているが、ＯｎＡｉｒ時間、ＯｎＡｉｒ開始時刻およびＯｎＡｉｒ終了時刻を表示する場合にも、本例を適用可能である。
【０１１３】
図１４（ａ）ないし（ｃ）は、第２実施形態に係るＯｎＡｉｒ回数表示および再生順序表示の変形例を示す図である。変形例においても、再生履歴情報の表示対象となっている記録指定デバイスＤに記録されていない楽曲については、全てｕｎｋｎｏｗｎマーク７２を付加して表示する。図１４（ａ）は、ＯｎＡｉｒ回数表示の変形例＜ＯｎＡｉｒ限定版＞を示している。本例では、「プレーヤー１」のＵＳＢメモリ以外から読み出された楽曲（「曲Ｃ」および「曲Ｄ」）についても表示するが、ＯｎＡｉｒされた楽曲のみを対象としている。
【０１１４】
また、図１４（ｂ）は、再生順序表示＜通常版＞の変形例を示している。本例では、ＯｎＡｉｒされたか否かを区別することなく、再生順序表示を行っている。また、図１４（ｃ）は、再生順序表示＜ＯｎＡｉｒ限定版＞の変形例を示している。本例では、ＯｎＡｉｒされた楽曲のみに限定して再生順序表示を行っている。
【０１１５】
なお、本実施形態においても、図８（ｂ）に示したように、記録用データベース６０として２種類のデータベースを作成した場合であって、＜ＯｎＡｉｒ限定版＞のＯｎＡｉｒ回数表示（図１４（ａ）参照）および＜ＯｎＡｉｒ限定版＞の再生順序表示（図１４（ｃ）参照）を行う場合は、ＯｎＡｉｒ専用データベースから読み出した再生履歴情報に基づいて、表示を行うようにしても良い。
【０１１６】
また、ＯｎＡｉｒ回数表示について、＜通常版＞と＜ＯｎＡｉｒ限定版＞のいずれで表示するか、再生順序表示について、＜通常版＞、＜ＯｎＡｉｒ限定版＞、＜ＯｎＡｉｒ区別版＞のいずれで表示するか、について、ユーザー設定手段１７０により設定可能としても良い。さらに、再生履歴情報の表示対象となっている記録指定デバイスＤ以外のデバイスＤから読み出した楽曲を記録対象とするか否か（第１実施形態を採用するか第２実施形態を採用するか）についても、ユーザー設定手段１７０により設定可能としても良い。
【０１１７】
また、上記の実施形態では、ユーザーによって指定された記録指定デバイスＤに対して、再生履歴情報を記録するものとしたが、プレーヤー１０毎に予め定められたデバイスＤを記録対象としても良い。また、記録可能な全てのデバイスＤ（装着されている全てのデバイスＤ）を記録対象としても良い。
【０１１８】
また、上記の実施形態では、プレーヤー１０に着脱可能なデバイスＤに対して再生履歴情報を記録するものとしたが、プレーヤー１０内にハードディスクなど着脱不可能な内部記憶媒体を搭載している場合は、当該ハードディスク内に再生履歴情報を記録するようにしても良い。
【０１１９】
次に、図１５ないし図１８を参照し、第２実施形態に係る再生装置１の再生履歴情報記録処理について説明する。図１５は、再生履歴情報記録処理（１）を示すフローチャートである。ここでは、ミキサー装置２０に、２台のプレーヤー１０（「プレーヤー１」および「プレーヤー２」）が接続されており、そのうち「プレーヤー１」によって楽曲が再生されたものとして説明する。
【０１２０】
図１５の例は、ミキサー装置２０が、曲情報を配信することを特徴としている。まず、「プレーヤー１」は、楽曲を再生開始すると（Ｓ５１）、当該楽曲の曲情報をミキサー装置２０に送信する（Ｓ５２）。ミキサー装置２０は、曲情報を受信すると（Ｓ５３）、接続されている各プレーヤー１０のＯｎＡｉｒ状態を判別し（Ｓ５４）、各プレーヤー１０に対して、記録情報（曲情報およびＯｎＡｉｒ信号）を配信する（Ｓ５５）。「プレーヤー１」は、ミキサー装置２０から記録情報を受信すると（Ｓ５６）、「プレーヤー１」内に記録指定デバイスＤがあるか否かを判別し、ある場合には、受信した記録情報に基づいて、当該記録指定デバイスＤ内の記録用データベース６０に再生履歴情報を記録する（Ｓ５７）。一方、「プレーヤー２」も、ミキサー装置２０から記録情報を受信すると（Ｓ５８）、「プレーヤー２」内に記録指定デバイスＤがあるか否かを判別し、ある場合には、受信した記録情報に基づいて、当該記録指定デバイスＤ内の記録用データベース６０に再生履歴情報を記録する（Ｓ５９）。
【０１２１】
なお、上記のフローチャートでは、曲情報の配信に関連する工程のみ示しているが、ミキサー装置２０からは、定期的に、ＯｎＡｉｒ状態を示す情報（ＯｎＡｉｒ信号）が各プレーヤー１０に配信され、各プレーヤー１０は、当該ＯｎＡｉｒ状態を示す情報に基づいて、ＯｎＡｉｒ開始時間やＯｎＡｉｒ終了時間を記録用データベース６０に記録する。以下、図１６ないし図１８についても、同様である。
【０１２２】
図１６は、再生履歴情報記録処理（２）を示すフローチャートである。本例は、楽曲を再生する「プレーヤー１」が、曲情報を配信することを特徴としている。まず、「プレーヤー１」は、楽曲を再生開始すると（Ｓ６１）、当該楽曲の曲情報を、接続されている各プレーヤー１０に対して配信する（Ｓ６２）。この場合、「プレーヤー１」は、ミキサー装置２０を介して、ミキサー装置２０に接続されている全てのプレーヤー１０に、曲情報を配信する。また、「プレーヤー２」は、「プレーヤー１」から配信された曲情報を受信する（Ｓ６３）。なお、「プレーヤー１」は、ミキサー装置２０から転送された曲情報を受信しても良いし、「プレーヤー１」内で曲情報の移送を行っても良い。
【０１２３】
一方、ミキサー装置２０は、接続されている各プレーヤー１０のＯｎＡｉｒ状態を判別し（Ｓ６４）、各プレーヤー１０に対して、ＯｎＡｉｒ信号を送信する（Ｓ６５）。「プレーヤー１」は、ミキサー装置２０からＯｎＡｉｒ信号を受信すると（Ｓ６６）、「プレーヤー１」内に記録指定デバイスＤがあるか否かを判別し、ある場合には、取得した（ミキサー装置２０から受信した、または「プレーヤー１」内で移送された）曲情報と、Ｓ６６で受信したＯｎＡｉｒ信号と、に基づいて、再生履歴情報を記録する（Ｓ６７）。一方、「プレーヤー２」も、ミキサー装置２０からＯｎＡｉｒ信号を受信すると（Ｓ６８）、「プレーヤー２」内に記録指定デバイスＤがあるか否かを判別し、ある場合には、Ｓ６３で受信した曲情報と、Ｓ６８で受信したＯｎＡｉｒ信号と、に基づいて、再生履歴情報を記録する（Ｓ６９）。
【０１２４】
図１７は、再生履歴情報記録処理（３）を示すフローチャートである。本例は、ミキサー装置２０が曲情報を配信する点において図１５と同様であるが、ＯｎＡｉｒ専用データベースのみを作成する場合を示している。ここでは、「プレーヤー１」および「プレーヤー２」共に、ＯｎＡｉｒ状態であるものとして説明する。まず、「プレーヤー１」は、楽曲を再生開始すると（Ｓ７１）、当該楽曲の曲情報を、ミキサー装置２０に送信する（Ｓ７２）。ミキサー装置２０は、曲情報を受信すると（Ｓ７３）、接続されている各プレーヤー１０のＯｎＡｉｒ状態を判別し（Ｓ７４）、ＯｎＡｉｒ状態のプレーヤー１０に対して、曲情報を配信する（Ｓ７５）。
【０１２５】
「プレーヤー１」は、ミキサー装置２０から曲情報を受信すると（Ｓ７６）、「プレーヤー１」内に記録指定デバイスＤがあるか否かを判別し、ある場合には、当該記録指定デバイスＤに曲情報を記録する（Ｓ７７）。一方、「プレーヤー２」も、ミキサー装置２０から曲情報を受信すると（Ｓ７８）、「プレーヤー２」内に記録指定デバイスＤがあるか否かを判別し、ある場合には、当該記録指定デバイスＤに曲情報を記録する（Ｓ７９）。
【０１２６】
図１８は、再生履歴情報記録処理（４）を示すフローチャートである。本例は、楽曲を再生する「プレーヤー１」が曲情報を配信する点において図１６と同様であるが、ＯｎＡｉｒ専用データベースのみを作成する場合を示している。ここでも、図１７と同様に、「プレーヤー１」および「プレーヤー２」共に、ＯｎＡｉｒ状態であるものとして説明する。まず、「プレーヤー１」は、楽曲を再生開始すると（Ｓ８１）、要求信号（各プレーヤー１０のＯｎＡｉｒ状態を示す情報の送信を要求する信号）を、ミキサー装置２０に送信する（Ｓ８２）。ミキサー装置２０は、要求信号を受信すると（Ｓ８３）、接続されている各プレーヤー１０のＯｎＡｉｒ状態を判別し（Ｓ８４）、再生元のプレーヤー１０（「プレーヤー１」）に、各プレーヤー１０のＯｎＡｉｒ状態を示す情報を送信する（Ｓ８５）。
【０１２７】
「プレーヤー１」は、ミキサー装置２０から、各プレーヤー１０のＯｎＡｉｒ状態を示す情報を受信すると（Ｓ８６）、ＯｎＡｉｒ状態のプレーヤー１０に対して、曲情報を配信する（Ｓ８７）。この場合、「プレーヤー１」は、ミキサー装置２０を介して曲情報を配信する。続いて、「プレーヤー１」は、「プレーヤー１」内に記録指定デバイスＤがあるか否かを判別し、ある場合には、「プレーヤー１」内で移送された曲情報を当該記録指定デバイスＤに記録する（Ｓ８８）。一方、「プレーヤー２」は、「プレーヤー１」から曲情報を受信すると（Ｓ８９）、「プレーヤー２」内に記録指定デバイスＤがあるか否かを判別し、ある場合には、受信した曲情報を当該記録指定デバイスＤに記録する（Ｓ９０）。
【０１２８】
以上、説明したとおり、本発明の第２実施形態によれば、どのデバイスＤから読み出された楽曲であるかに拘わらず、ユーザーによって指定された記録指定デバイスＤに再生履歴情報を記録することができるため、クラブ等におけるＤＪの演奏履歴や放送履歴を記録する場合に、便利である。
【０１２９】
また、情報表示手段１６０は、再生履歴情報の表示対象となっている記録指定デバイスＤに記憶されている楽曲と、そうでない楽曲と、を区別して表示部１１に表示するため、ユーザーは、表示された再生履歴情報から、各楽曲が同一のデバイスＤ内に記憶されているのか否かを把握することができる。
【０１３０】
なお、上記第１実施形態および第２実施形態では、プレーヤー１０において、再生履歴情報を記録する場合について例示したが、ミキサー装置１０において、再生履歴情報を記録しても良い。つまり、再生履歴情報記録手段１５０を、ミキサー装置１０内に備える構成としても良い。この場合、ミキサー装置１０に、デバイスＤを装着可能であることが好ましい。また、ユーザー設定手段１７０についても、ミキサー装置１０内に備えても良い。
【０１３１】
また、上記の各実施形態では、記録対象となるデバイスＤから読み出した楽曲のみを対象として再生履歴情報を記録する場合（第１実施形態）と、記録対象となるデバイスＤから読み出した楽曲であるか否かに拘わらず、再生された楽曲の再生履歴情報を記録指定デバイスＤに記録する場合（第２実施形態）と、を例示したが（デバイスＤ単位で区別したが）、プレーヤー１０単位で区別しても良い。すなわち、記録対象となるデバイスＤが装着されたプレーヤー１０によって再生された楽曲のみを対象として再生履歴情報を記録しても良い。また、第２実施形態の応用として、記録対象となるデバイスＤが装着されたプレーヤー１０によって再生された楽曲であるか否かに拘わらず、全てのプレーヤー１０で再生された楽曲を対象として再生履歴情報を記録するが、記録対象となるデバイスＤが装着されたプレーヤー１０によって再生された楽曲であるか否かを区別して表示可能としても良い。
【０１３２】
また、上記の各実施形態に示した再生装置１（プレーヤー１０やミキサー装置２０）の各構成要素をプログラムとして提供することも可能である。また、そのプログラムを各種記憶媒体（ＣＤ−ＲＯＭ、フラッシュメモリ等）に格納して提供することも可能である。すなわち、コンピューターをプレーヤー１０やミキサー装置２０の各構成要素として機能させるためのプログラム、およびそれを記録した記憶媒体も、本発明の権利範囲に含まれるものである。
【０１３３】
また、上記の実施形態に示したプレーヤー１０やミキサー装置２０を、ＤＪ機器以外の電子楽器やコンピューターに適用しても良い。また、再生装置１を、プレーヤー１０およびミキサー装置２０によって構成するのではなく、１台の装置として構成しても良い。その他、本発明の要旨を逸脱しない範囲で、適宜変更が可能である。
【符号の説明】
【０１３４】
１…再生装置  １０…プレーヤー  １１…表示部  １２…ジョグダイヤル  １２ｂ…ジョグＬＥＤ  １３…ＣＤ挿入口  １３ａ…ＣＤ用イジェクトボタン  １４…ＵＳＢメモリスロット  １４ａ…ＵＳＢメモリ用イジェクトボタン  １５…ＳＤメモリカードスロット  １５ａ…ＳＤメモリカード用イジェクトボタン  ２０…ミキサー装置  ２１…チャンネル切替スイッチ  ２２…トリム調整ツマミ  ２５…チャンネルフェーダー  ２６…クロスフェーダーアサインスイッチ  ２７…クロスフェーダー  ２８…マスター出力レベル調整ツマミ  ３０…出力装置  ３１…アンプ  ３２…スピーカー  ６０…記録用データベース  Ｄ…デバイス  ＳＹ…再生システム
【図１】
2010262723.tif 000003
【図２】
2010262723.tif 000004
【図３】
2010262723.tif 000005
【図４】
2010262723.tif 000006
【図５】
2010262723.tif 000007
【図６】
2010262723.tif 000008
【図７】
2010262723.tif 000009
【図８】
2010262723.tif 000010
【図９】
2010262723.tif 000011
【図１０】
2010262723.tif 000012
【図１１】
2010262723.tif 000013
【図１２】
2010262723.tif 000014
【図１３】
2010262723.tif 000015
【図１４】
2010262723.tif 000016
【図１５】
2010262723.tif 000017
【図１６】
2010262723.tif 000018
【図１７】
2010262723.tif 000019
【図１８】
2010262723.tif 000020